(57)【要約】【課題】体のラインに沿った締付を可能とし、体にフィットして着用感に優れ、前後および／または上下を反転させて着用することが可能であり、アウターとしての着用も可能な、胴部の締付を調節可能とする衣類を提供する。【解決手段】ウエスト部を挟んで上下に縁部を有してウエスト部の上側および下側を被覆する本体部を有し、該本体部の前中心部は左右に分離可能な縦方向の分離部を有し、かつ該分離部に沿う両側縁部に分離部を挟んで対称となるよう複数個の透孔を備え、該透孔に前記分離部の上端部側および／または下端部側からそれぞれ分離部を挟んで左右交互に締紐を挿通し、両側縁部の略中間部の透孔より該締紐を左右にそれぞれ環状に延出させた上、該締紐の端部を接合して一つの環状として、両側縁部を連結するとともに、前記環状に延出させた締紐を左右に引張ることにより胴部の締付を調節可能とする。【選択図】図１
0003125886.tif 000002
【実用新案登録請求の範囲】
【請求項１】
ウエスト部を挟んで上下に縁部を有してウエスト部の上側および下側を被覆する本体部を有し、該本体部の前中心部は左右に分離可能な縦方向の分離部を有し、かつ該分離部に沿う両側縁部に分離部を挟んで対称となるよう複数個の透孔を備え、該透孔に前記分離部の上端部側および／または下端部側からそれぞれ分離部を挟んで左右交互に締紐を挿通し、両側縁部の略中間部の透孔より該締紐を左右にそれぞれ環状に延出させた上、該締紐の端部を接合して一つの環状として、両側縁部を連結するとともに、前記環状に延出させた締紐を左右に引張ることにより胴部の締付を調節可能とする衣類。
【請求項２】
ウエスト部から上縁部までの幅が２〜３ｃｍの範囲で、ウエスト部から下縁部までの幅が７〜１０ｃｍの範囲であり、上縁部から下縁部までの幅が、両脇部で狭く、前中心部及び後中心部で広くなるように構成され、前後および／または上下を反転させて着用可能な請求項１記載の胴部の締付を調節可能とする衣類。
【請求項３】
前記透孔を、分離部を挟んで対称となるよう各側縁部に沿って４〜６個ずつ備える請求項１又は２に記載の胴部の締付を調節可能とする衣類。
【請求項４】
本体部における、前記分離部の左右端部、人体の前側における左右の腹直筋相対部の前中心部側および脇部側、人体の脇部における左右の外腹斜筋相対部の両脇部近傍ならびに後脇部近傍、人体後ろ側における左右の広背筋相対部の後中心部近傍、および後中心部に、それぞれ平板状のボーンを略縦方向に取り付けてなる請求項１乃至３のいずれか一項に記載の胴部の締付を調節可能とする衣類。
【請求項５】
前記衣類が、ウエストニッパーである請求項１乃至４のいずれか一項に記載の胴部の締付を調節可能とする衣類。
【考案の詳細な説明】
【技術分野】
【０００１】
本考案は、ウエスト部の上側および下側を被覆する本体部を有し、締紐により胴部の締付を調節可能とする衣類である。
【背景技術】
【０００２】
締紐により締付を調節可能とする衣類としては、コルセットあるいはウエストニッパーが一般的である。これらは、通常、左右に分離可能な分離部を有し、該分離部に設けた縦方向に編み上げた紐によって胴部の周径方向に締付け可能としている。
【０００３】
上記の様な衣類としては、前面を開放し、その両側縁部の複数の透孔および一部に掛爪を有する締付環に挿通した締紐と掛爪を掛合するための孔を備えたベルトにより締付を行うコルセット（下記特許文献１参照）、背面を開放し、その両側縁部の複数の透孔に挿通した締紐を中央部の透孔より左右に引き出し、引き出した締紐の端部に互いに掛止めるための掛止具を設けて締付を行うウエストニッパー（下記特許文献２参照）、前面を開放し、締紐を開放部の両側縁部の複数の透孔および鉤子を有する鉤板に設けた透孔に挿通して、鉤子を本体部の周径方向に設けた鉤孔に掛けることにより締付を行うウエストニッパー（下記特許文献３参照）等があるが、いずれもウエスト部より下方は腹部にまで至っていることから、上下逆に着用しようとしても乳房を押しつぶす状態となり、また、アウターとして着用することにも無理がある構成となっていた。
【０００４】
また、本体下部に幅拡張布を設け、編み上げ紐等の止着手段により該幅拡張布を広狭調整可能なマタニティ用下着（下記特許文献４参照）は、腹部の膨らみに合わせて単純な編み上げ紐等により本体下部を調整可能にしたもので、上下を逆に着用できない構成となっている。
【特許文献１】実公昭３１−１０９３０公報
【特許文献２】実公昭３０−３５３８公報
【特許文献３】実公昭３１−１１５４４公報
【特許文献４】実用新案登録第３１０６９５５号公報
【考案の開示】
【考案が解決しようとする課題】
【０００５】
本考案は、単純な構成により体のラインに沿った締付を可能とし、体にフィットして着用感に優れるとともに、前後および／または上下を反転させて着用することが可能であり、アウターとしての着用も可能な、胴部の締付を調節可能とする衣類を提供することを目的とする。
【課題を解決するための手段】
【０００６】
上記の課題を解決するために、本考案は、次の様な胴部の締付を調節可能とする衣類を提供するものである。
【０００７】
（１）ウエスト部を挟んで上下に縁部を有してウエスト部の上側および下側を被覆する本体部を有し、該本体部の前中心部は左右に分離可能な縦方向の分離部を有し、かつ該分離部に沿う両側縁部に分離部を挟んで対称となるよう複数個の透孔を備え、該透孔に前記分離部の上端部側および／または下端部側からそれぞれ分離部を挟んで左右交互に締紐を挿通し、両側縁部の略中間部の透孔より該締紐を左右にそれぞれ環状に延出させた上、該締紐の端部を接合して一つの環状として、両側縁部を連結するとともに、前記環状に延出させた締紐を左右に引張ることにより胴部の締付を調節可能とする衣類。
【０００８】
（２）ウエスト部から上縁部までの幅が２〜３ｃｍの範囲で、ウエスト部から下縁部までの幅が７〜１０ｃｍの範囲であり、上縁部から下縁部までの幅が、両脇部で狭く、前中心部及び後中心部で広くなるように構成され、前後および／または上下を反転させて着用可能な前記（１）記載の胴部の締付を調節可能とする衣類。
【０００９】
（３）前記透孔を、分離部を挟んで対称となるよう各側縁部に沿って４〜６個ずつ備える前記（１）又は（２）に記載の胴部の締付を調節可能とする衣類。
【００１０】
（４）本体部における、前記分離部の左右端部、人体の前側における左右の腹直筋相対部の前中心部側および脇部側、人体の脇部における左右の外腹斜筋相対部の両脇部近傍ならびに後脇部近傍、人体後ろ側における左右の広背筋相対部の後中心部近傍、および後中心部に、それぞれ平板状のボーンを略縦方向に取り付けてなる前記（１）乃至(３）のいずれか一項に記載の胴部の締付を調節可能とする衣類。
【００１１】
（５）前記衣類が、ウエストニッパーである前記（１）乃至（４）のいずれか一項に記載の胴部の締付を調節可能とする衣類。
【考案の効果】
【００１２】
本考案の胴部の締付を調節可能とする衣類は、上記構成を有するため、簡単に体のラインに沿った締付を可能として体にフィットして着用感に優れ、上下の幅の設定により、前後および／または上下を反転させて着用するなど種々の着用方法を選べることや、外観性にも優れることからアウターとして着用することも可能となる。特に、締紐が環状であるため、締紐の引っ張り具合により自在にウエスト部の上側と下側に対応する位置の締め具合を調節でき、さらに紐抜けがなく、便利である。
【考案を実施するための最良の形態】
【００１３】
以下、図面を用いて、本考案を詳細に説明するが、本考案は下記の実施形態に限定されるものではない。
【００１４】
［実施形態１］
図１は、本考案の衣類の一実施形態であるウエストニッパーの構成を示す正面図、図２は、図１のウエストニッパーの背面図である。
【００１５】
図１、２におけるウエストニッパー１は、ウエスト部（図１中矢印Ｗで示される。）を挟んで上下に縁部、即ち上縁部２および下縁部３を有してウエスト部Ｗの上側および下側を被覆する本体部を有しており、該本体部は前中心部Ｆにおいて左右に分離可能な縦方向の分離部４を有する。分離部４に沿う両側縁部には分離部４を挟んで対称となるよう複数個の透孔５を備える。透孔５には、分離部４の上端部側から分離部４を挟んで左右交互に締紐６を挿通し、両側縁部の略中間部の透孔５より該締紐６を左右にそれぞれ環状に延出させた上、締紐６の端部をそれぞれ接合して一つの環状として、両側縁部を連結する。図１、２のウエストニッパー１においては、締紐６を左右にそれぞれ環状に延出した延出部を符号６ａ、６ｂで示す。締紐６の端部の接合は、例えば、分離部４の上端部側から締紐６を挿通した場合、図１、２中６ｃで示される位置で行う。上記のような構成とすることにより、前記環状に延出させた締紐６を左右に引張ることにより胴部の締付を調節可能になる。装着方法は、例えば、前中心部Ｆの分離部４を、ウエストニッパー１を下側から被れるか、あるいは上側から穿ける状態に間隔を開けて身体の当該部位（ウエスト部付近）に装着し、分離部４の両側縁部の略中間部より左右にそれぞれ延出させた締紐６の延出部６ａ、６ｂを引っ張って締紐を締め上げながら、具合の良い状態となったところで上記の締紐延出部６ａ、６ｂを前中心部側で図３に示すように結んで行う。なお、締紐の結び方は図３に示すような一般的な結び方で良い。また、締紐延出部は、後中心側で結んでも良い。締紐６の延出部の上側を引っ張ることでウエスト部の上側部分の締付具合を、延出部の下側を引っ張ることでウエスト部の下側部分の締付具合を自在に調節でき、簡単に体のラインに沿った締付を可能として、体型を補整し、体にフィットさせて着用感を向上させることができる。
【００１６】
図１、２のウエストニッパー１は、本体部における、前記分離部４の左右端部、人体の前側における左右の腹直筋相対部の前中心部側および脇部側、人体の脇部における左右の外腹斜筋相対部の両脇部近傍ならびに後脇部近傍、人体後ろ側における左右の広背筋相対部の後中心部近傍、および後中心部に、それぞれ平板状のボーンを略縦方向に取り付けてなる。図５に腹直筋１０の位置を示す体幹部の正面斜視図、図６に外腹斜筋１１の位置を示す体幹部の正面斜視図、図７に広背筋１２の位置を示す体幹部の背面斜視図を示す。なお、図５〜７において、点線は人体の中心線を示す。図１、２のウエストニッパー１において、本体部における、前記分離部４の左右端部にボーン７ａ、７ａ、７ｂ、７ｂ、人体の前側における左右の腹直筋相対部の前中心部側にボーン７ｃ、７ｃ、脇部側にボーン７ｄ、７ｄ、人体の脇部における左右の外腹斜筋相対部の両脇部近傍にボーン７ｅ、７ｅならびに後脇部近傍にボーン７ｆ、７ｆ、人体後ろ側における左右の広背筋相対部の後中心部近傍にボーン７ｇ、７ｇ、および後中心部にボーン７ｈ、７ｈが配置されている。本考案においては、ボーンを上記のように人体の特定の筋肉に沿って配置することが、より体のラインに沿った締付を可能として衣類を体にフィットさせることができ、外観も美しくなるため、好適である。なお、図１、２のウエストニッパーは、立体的に造形するために、複数の布地片を、上記ボーン設置箇所で縫合等により接合して形成されている。
【００１７】
上記実施形態１においては締紐は分離部の上端部側から挿通しているが、分離部の上端部側および下端部側から略中間部に向かって挿通しても良いし、下端部側から挿通しても良い。締紐を挿通する状態により、適当な位置で締紐の端部の接合を行う。
【００１８】
上記実施形態１においては、透孔は、前中心部側の両側縁部に各５個形成されているが、本考案においては、透孔を、分離部を挟んで対称となるよう各側縁部に沿って４〜６個ずつ備えるのが、体のラインに沿った締付を特に容易にし、好適である。
【００１９】
本考案においては、ウエスト部から上縁部までの幅が２〜３ｃｍの範囲で、ウエスト部から下縁部までの幅が７〜１０ｃｍの範囲であるのが好ましい。そのような構成とすることにより、前後および／または上下を反転させてより着用しやすくなる。また、上縁部から下縁部までの幅が、両脇部で狭く、前中心部及び後中心部で広くなるように構成されるのが好ましい。そのような構成とすることにより、より体のラインに沿った締付を可能とし、体にフィットして着用感に優れ、アウターとしての外観性も向上する。好ましくは、上縁部から下縁部までの幅が、両脇部においては９ｃｍ前後、前中心部及び後中心部においては１１〜１２ｃｍ程度であるのが良く、上縁部から下方に２ｃｍ程度の部分がウエスト部となるのが良い。
【００２０】
本考案において、上記ボーンの取り付け方法は、通常一般のボーンの取り付け方法と同様に行うことができ、例えば、表地と裏地の縫合により筒状に形成した取り付け箇所にボーンを挿入し、端始末を行う方法が挙げられる。
【００２１】
本考案において、上記構成以外の衣類の構成は、特に限定されず、その形状、サイズ、本体部や締紐、ボーンの素材、製造方法等は本考案の作用を阻害しない範囲で、通常一般の衣類と同様に構成される。本体部を構成する各布地片には、サテンやサテン調織物などのウエストニッパーに一般に使用される素材の他、伸縮性を有する素材を全体の布地片あるいは一部の布地片に組み合わせて使用しても良い。
【００２２】
本考案の胴部の締付を調節可能とする衣類の実施形態として、具体的には、上記実施形態のようなウエストニッパーが挙げられるが、本考案の衣類は、本考案の作用を阻害しない範囲で、本体部の上側および／又は下側に装飾部を有するなど他の構成を有していても良い。
【００２３】
本考案の衣類は、前後および／または上下を反転させて着用したり、締紐を前中心側ではなく後中心側で結ぶなど、種々の着用方法が可能である。図４に、図１のウエストニッパーの上下を反転させた状態を示す。なお、図４においては、図１における上縁部２が下縁部に、図１における下縁部３が上縁部になる。
【産業上の利用可能性】
【００２４】
本考案による胴部の締付を調節可能とする衣類は、簡単に体のラインに沿った締付を可能として体にフィットして着用感に優れ、上下の幅の設定により、前後および／または上下を反転させて着用するなど種々の着用方法を選べることや、締め付けを行うための複雑な構成を有さず、外観性にも優れるため、ウエストニッパーなどのウエスト部にフィットさせる衣類として好適であり、インナーだけでなくアウターとしても使用可能である。
【図面の簡単な説明】
【００２５】
【図１】本考案の衣類の一実施形態であるウエストニッパーの構成を示す正面図。
【図２】図１のウエストニッパーの背面図。
【図３】図１のウエストニッパーにおいて締紐を結んだ状態を示す正面図。
【図４】図１のウエストニッパーの上下を反転させた状態を示す正面図。
【図５】腹直筋の位置を示す体幹部の正面斜視図。
【図６】外腹斜筋の位置を示す体幹部の正面斜視図。
【図７】広背筋の位置を示す体幹部の背面斜視図。
【符号の説明】
【００２６】
１  ウエストニッパー
２  上縁部
３  下縁部
４  分離部
５  透孔
６  締紐
６ａ、６ｂ  締紐の延出部
６ｃ  締紐の接合部
７ａ、７ｂ、７ｃ、７ｄ、７ｅ、７ｆ、７ｇ、７ｈ  ボーン配置部
８  後中心部
Ｆ  前中心部
Ｗ  ウエスト部
【図１】
0003125886.tif 000003
【図２】
0003125886.tif 000004
【図３】
0003125886.tif 000005
【図４】
0003125886.tif 000006
【図５】
0003125886.tif 000007
【図６】
0003125886.tif 000008
【図７】
0003125886.tif 000009